(57)【要約】【課題】人が立ったまま、遠隔操作体の操作を可能にした扇風機を提供する。【解決手段】本発明の扇風機は、扇風機本体１と、扇風機本体１とは別に設けられ、リモコン操作部４１の操作に伴う無線信号を送出するリモコン２と、により構成される。扇風機本体１は、回転するファン２２をファンガード２３で囲んで構成され、リモコン２への操作によりその動作が制御される送風部１３と、送風部１３を床面Ｓより支持する支持基体１５と、を備えている。そして、ここでは特に、リモコン２をファンガード２３の前面部となる前ガード２８の円板部３５に、リモコン操作部４１からの操作が可能な状態で、リモコン２を着脱可能に保持する保持手段を設けている。【選択図】図１
2019085884.tif 000002
【特許請求の範囲】
【請求項１】
本体と、
前記本体とは別に設けられ、操作に伴う無線信号を送出する遠隔操作体と、からなり、
前記本体は、回転するファンをガードで囲んで構成され、前記遠隔操作体への操作によりその動作が制御される送風部と、前記送風部を支持する支持基体と、を備え、
前記ガードの前面部に、前記遠隔操作体を操作が可能な状態で着脱可能に保持する保持手段を設けたことを特徴とする扇風機。
【請求項２】
前記ファンの回転力を電力に変換する発電部をさらに備え、
前記遠隔操作体を前記ガードの前面部に装着したときに、前記発電部から前記遠隔操作体に電力供給を行なう構成としたことを特徴とする請求項１記載の扇風機。
【請求項３】
前記ガードに表示部を設け、
前記ファンの回転数に合せて変化する電力を前記表示部に供給するように、前記発電部を構成したことを特徴とする請求項１または２記載の扇風機。
【請求項４】
回転するファンをガードで囲んで構成される送風部と、前記送風部を支持する支持基体と、前記ガードに設けられる表示部と、前記ファンの回転力を電力に変換する発電部と、を本体に備え、
前記ファンの回転数に合せて変化する電力を前記表示部に供給するように、前記発電部を構成したことを特徴とする扇風機。
【請求項５】
前記表示部は、前記発電部からの電力を受ける発光素子と、前記発光素子の光を導いて発光する導光体と、により構成されることを特徴とする請求項３または４記載の扇風機。
【請求項６】
前記ファンの回転中心前方に位置して、前記ガードの前面中央部に前記導光体となる導光板を配置したことを特徴とする請求項５記載の扇風機。
【請求項７】
前記ファンの前方に位置して、前記ガードの前面部に前記導光体となる導光リングを配置したことを特徴とする請求項５記載の扇風機。
【発明の詳細な説明】
【技術分野】
【０００１】
本発明は、回転するファンに手などが触れないように、ファンの周辺をガードで囲んで送風を行なう扇風機に関する。
【背景技術】
【０００２】
従来の技術として、例えば特許文献１には、回転するファンをガードで囲んで構成した送風部と、その送風部を支持するための支柱や基台と、無線信号により送風部を遠隔操作するリモコンと、を備え、支柱の前面にリモコンを着脱自在に保持する保持手段を設けることで、リモコンを支柱の見やすい位置に保持した状態で、リモコンの操作ボタンを操作できる扇風機が提案されている。またここでは、保持手段のみならず、表示部となる複数のＬＥＤを支柱に設け、保持手段に保持されたリモコンの横にＬＥＤを並べて配置することで、表示部の視認性を良好にできる考えも示されている。
【先行技術文献】
【特許文献】
【０００３】
【特許文献１】特開２００７−１３８７６３号公報
【発明の概要】
【発明が解決しようとする課題】
【０００４】
従来技術の問題点として、遠隔操作体となるリモコンは、特許文献１に示す支柱や、さもなければ床面に載置される基台に保持される。しかし何れの場合も、人が扇風機の前でしゃがんだ姿勢を取らなければ、リモコンの操作部を手で操作することができない。
【０００５】
また、支柱や基台に設けられる表示部は、制御部が送風部などに指示した扇風機の運転状況を表示しているだけで、実際に送風部が今送風している風量を反映したものではない。しかも、表示部はリモコンと同様に、人がしゃがんだ姿勢を取らなければ、表示内容を把握することができず、量販店などで製品を陳列した店頭展示でも、表示による製品の差別化の実現が難しい問題があった。
【０００６】
本発明は、上記課題を解決するのになされたもので、人が立ったまま遠隔操作体の操作を可能にした扇風機を提供することを、第１の目的とする。
【０００７】
また、本発明の第２の目的は、現在の送風部の風量をその場で視認することができ、表示による製品の差別化の実現を可能にした扇風機を提供することにある。
【課題を解決するための手段】
【０００８】
本発明は、本体と、前記本体とは別に設けられ、操作に伴う無線信号を送出する遠隔操作体と、からなり、前記本体は、回転するファンをガードで囲んで構成され、前記遠隔操作体への操作によりその動作が制御される送風部と、前記送風部を支持する支持基体と、を備え、前記ガードの前面部に、前記遠隔操作体を操作が可能な状態で着脱可能に保持する保持手段を設けたことを特徴とする扇風機である。
【０００９】
また本発明は、回転するファンをガードで囲んで構成される送風部と、前記送風部を支持する支持基体と、前記ガードに設けられる表示部と、前記ファンの回転力を電力に変換する発電部と、を本体に備え、前記ファンの回転数に合せて変化する電力を前記表示部に供給するように、前記発電部を構成したことを特徴とする扇風機である。
【発明の効果】
【００１０】
請求項１の発明では、保持手段を利用することで、送風部を支持する支持基体にではなく、送風部を構成するガードの前面部に、遠隔操作体を操作が可能な状態で装着できるので、人がしゃがんだ姿勢をわざわざ取らなくても、立ったままの姿勢で遠隔操作体の操作を行なうことが可能になる。
【００１１】
請求項２の発明では、遠隔操作体をガードの前面部に装着させておけば、本体を運転させたときのファンの回転力を利用して、遠隔操作体に外部から電力を供給することが可能となり、本体とは別な遠隔操作体の煩わしい電池交換などを省くことができる。
【００１２】
請求項３，４の発明では、ファンの回転数に見合う電力を発電部から表示部に供給することで、ファンの回転数に合せて表示部の明るさをリアルタイムに変化させることができ、現在の送風部の風量をその場で視認することが可能となる。また、送風部を支持する支持基体にではなく、送風部を構成するガードに表示部を設けることで、立ったままの姿勢で現在の風量を視認することができ、店頭展示などでも表示による製品の差別化を実現できる。
【００１３】
請求項５の発明では、発光素子のみによるスポット的な表示ではなく、発光素子からの光を導光体に導いて、線状若しくは面状の発光を行なわせることで、視認性を向上させた扇風機を提供できる。
【００１４】
請求項６の発明では、ガードの前面中央部に設けた導光板によって、ファンの回転数に合せて変化する面状の表示を、送風部のいわば基点となるファンの回転中心位置で行なわせることが可能になる。これにより、店頭展示などで視覚効果を著しく高めた扇風機を提供できる。
【００１５】
請求項７の発明では、ガードの前面部に設けた導光リングによって、ファンの回転数に合せて変化するリング線状の表示を、送風部の前面で行なわせることが可能になる。これにより、店頭展示などで視覚効果を著しく高めた扇風機を提供できる。
【図面の簡単な説明】
【００１６】
【図１】本発明の第１実施例における扇風機の全体斜視図である。
【図２】同上、扇風機の正面図である。
【図３】同上、扇風機の右側面図である。
【図４】同上、扇風機の平面図である。
【図５】同上、送風部を傾けた状態の扇風機の右側面図である。
【図６】同上、前ガードとリモコンとの着脱構造を示す斜視図である。
【図７】同上、リモコンをリモコン取付部に装着した状態で、人がスイッチ操作を行なう様子を示す図である。
【図８】同上、電気的構成を示すブロック図である。
【図９】本発明の第２実施例における扇風機におけるリモコンと送風部の要部分解視図である。
【図１０】本発明の第３実施例における扇風機におけるリモコンと送風部の要部分解視図である。
【図１１】同上、扇風機本体の運転中の様子を示す図である。
【図１２】本発明の第４実施例における扇風機におけるリモコンと送風部の要部分解視図である。
【図１３】同上、扇風機本体の運転中の様子を示す図である。
【発明を実施するための形態】
【００１７】
以下、添付図面を参照しつつ、本発明における扇風機の好ましい実施例について、添付図面を参照しながら詳細に説明する。なお、各実施例で同一の部分には同一の符号を付し、その共通する箇所の説明は重複を避けるため極力省略する。
【実施例１】
【００１８】
図１は、本発明の第１実施例における扇風機本体１とリモコン２からなる扇風機の外観を示している。また図２〜図５は、リモコン２を扇風機本体１に装着した扇風機の外観を示している。
【００１９】
これらの各図において、送風を行なうための扇風機本体１は、室内の床面Ｓなどに載置されるベース１１と、ベース１１から上方に向かう支柱１２と、風を送り出す送風部１３と、送風部１３を任意の方向に首振り運動させるための首振り装置１４と、を主な構成要素とする。支柱１２の上端部には送風部１３が設けられ、送風部１３の後部には首振り装置１４が設けられる。ベース１１と支柱１２は、扇風機本体１のスタンドとなる支持基体１５を構成し、この支持基体１５により、送風部１３および首振り装置１４が床面Ｓより所定の高さに支持される。
【００２０】
基台となる樹脂製のベース１１は、扇風機本体１が容易に倒れないように、その外形が平面視でほぼ円形をなす扁平状に形成される。またベース１１には、扇風機本体１の各部へ給電するための電源プラグ付きコード１６が、巻取り可能に設けられる。ベース１１の上面前方には、複数のキーやボタンによる操作部の他に、ＬＥＤなどの表示部を備えた操作パネル１７が設けられる。
【００２１】
支持部となる支柱１２は、首振り装置１４を含めた送風部４を昇降可能にする昇降装置をなすもので、ベース１１の上面から垂直に延びる筒状の支柱基部１８と、この支柱基部１８の内側に上下摺動自在に組み付けられた摺動杆１９とからなり、支柱基部１８の上部後方に設けたロック釦２０を、図示しない弾性体の付勢力に抗して押動することにより、支柱基部１８と摺動杆１９との係合が解除されて、送風部１３や首振り装置１４を支持する摺動杆１９が、支柱基部１８に対して上下に摺動するようになっている。なお支持基体１５として、本実施例のようなベース１１と支柱１２との組み合わせに代わり、床Ｓに直接載置される三脚を用い、それぞれの脚部を伸縮可能とすることで、三脚の上部に設けた送風部１３と首振り装置１４を昇降可能に支持する構成としてもよい。
【００２２】
送風部１３は、駆動源としてのモータに相当するＤＣ（直流）ファンモータ２１と、このＤＣファンモータ２１により回転駆動される羽根としてのファン２２と、ファン２２を囲む通気可能な網状のガードとしてのファンガード２３とからなる。ファン２２は、ＤＣファンモータ２１の前方に突出した回転軸（図示せず）に取付け固定され、複数の翼２４を放射状に配置して構成される。また、送風部１３のＤＣファンモータ２１と首振り装置１４の全体は、前側を開口した駆動部カバー２５により覆われており、この駆動部カバー２５の開口周縁にファンガード２３が取り付けられる。ここでは、送風部１３の駆動源としてＤＣファンモータ２１を採用しているので、ＤＣファンモータ２１に供給するパルス駆動信号のデューティを制御することで、ファン２２の回転数を任意に可変することができる。
【００２３】
ファンガード２３は、送風部１３からの送風を行なっているときに、回転するファン２２に指などが触れないように、ファン２２全体を囲むガードとして設けられるもので、ここでは駆動部カバー２５の前部に取付け固定される後ガード２７と、後ガード２７の前面開口を塞ぐように配設される前ガード２８とにより構成される。またファンガード２３は、送風部１３による送風を極力妨げないように、ファンガード２３の全体に多数の通気孔２９を有して形成される。
【００２４】
ファンガード２３の側面部および後面部となる後ガード２７は、プラスチックなどの合成樹脂製で、ファン２２の後面に対向する円形の基部３１と、基部３１の外周端から前方に延びており、ファン２２の外周部に対向する中空円筒形の周縁部３２と、を主な構成要素とする。基部３１は、その中心にＤＣファンモータ２１の回転軸を挿通する孔（図示せず）が設けられ、駆動部カバー２５に対して所定の位置に取付け固定される。周縁部３２は、基部３１の外周端部よりファンガード２３の前方向に延びて形成され、その前端部には前ガード２８の外周部と連結する環形の連結部３３が一体的に形成される。
【００２５】
ファンガード２３の前面部となる前ガード２８は、リモコン２の外形に合せた外径形状を有し、ファンガード２３の中心部に配置される円板部３５と、円板部３５の外周側に金属製のワイヤーを接合して構成される前ガード基材３６と、プラスチックなどの合成樹脂製で、前ガード基材３６の外周部を取り囲むように装着される環形のリブ部材３７と、を主な構成要素とする。円板部３５は、ＤＣファンモータ２１の回転軸の延長線上に位置しており、前ガード基材３６は、円板部３５の外周から半径方向に延びる複数本の放射状ワイヤーと、その放射状ワイヤーの外端どうしを連結した環形ワイヤーとを組み合わせて構成される。前ガード２８の外周部をなすリブ部材３７は、後ガード２７の前面開口を前ガード２８が塞ぐように、後ガード２７の連結部３３に嵌合して着脱可能に取付けられる。
【００２６】
リモコン２は、扇風機本体１を離れた場所から操作する遠隔操作体として、扇風機本体１と別体に備えてある。リモコン２は周知のように、何れも押動操作が可能な複数のスイッチからなるリモコン操作部４１や、赤外線発光素子を備えた送信部（図示せず）などを有し、リモコン操作部４１の操作体であるスイッチを押す毎に、そのスイッチに対応した固有のコードを含む赤外線信号が送信部から無線で送信され、この赤外線信号を受信した扇風機本体１の送風部１３や首振り装置１４の動作を遠隔操作する構成となっている。
【００２７】
４３は、ベース１１の前側部に設けられ、リモコン２からの赤外線信号を受信する受光部である。扇風機本体１の例えばベース内部１１には、ＣＰＵ（Central Processing Unit）やメモリなどを含む制御部４４が組み込まれており、制御部４４がメモリに記録されたコンピュータプログラムを実行することにより、受光部４３で受信したリモコン２からの赤外線信号や、操作パネル１７の操作部からの操作信号を受けて、扇風機本体１の各部、すなわち操作パネル１７の表示部や、送風部１３のＤＣファンモータ２１や、首振り装置１４の駆動源となる首振りモータ４５（図８参照）に制御信号を送出して、これらを適切に制御する構成となっている。
【００２８】
本実施例の首振り装置１４は、扇風機本体１に対して送風部１３を左右の水平方向にだけでなく、上下の垂直（俯仰）方向にも単独若しくは両方で揺動させることが可能である。図５は、送風部１３を上方向に揺動させたときの状態を示している。こうした送風部１３に対する左右の首振り運転のオン・オフや、上下の首振り運転のオン・オフは、リモコン２のリモコン操作部４１や、操作パネル１６の操作部からの手動操作でそれぞれ切替できるようになっている。
【００２９】
図６は、前ガード２８とリモコン２との着脱構造を示す図である。また図７は、リモコン２を円板部３５に装着した状態で、人がスイッチ操作を行なう様子を示す図である。
【００３０】
これらの各図において、本実施例の扇風機は、リモコン操作部４１を表に向けた状態で、リモコン２を前ガード２８の円板部３５に着脱可能に保持するための保持手段４６を備えている。保持手段４６は、例えばマグネットの磁力を利用して、円盤状のリモコン２を前ガード２８の円板部３５に着脱する構成としてもよい。具体的には、リモコン操作部４１とは反対側のリモコン２の裏面にマグネットシートを配設する一方で、円板部３５を例えば鉄などの強磁性材料とした保持手段４６を、扇風機本体１とリモコン２とによる扇風機に設ける。
【００３１】
これにより、リモコン２を前ガード２８の円板部３５に近付けると、マグネットシートの磁力が作用して、リモコン２の裏面が自ずと円板部３５に吸着され、リモコン操作部４１を表に向けた状態で、リモコン２を円板部３５へ簡単に保持できる。また、ここからマグネットシートの磁力に抗して、リモコン２を円板部３５から簡単に取り外すことも可能である。
【００３２】
保持手段４６を構成するマグネットは、首振り装置１４により上下左右に揺動する送風部１３がどのような姿勢にあっても、リモコン２が円板部３５から脱落しない程度の磁力を有するのが好ましい。但し、マグネットの磁力が強過ぎると、今度はリモコン２を円板部３５から取り外すのに支障を来たすので、そのときにリモコン２と共に前ガード２８が後ガード２７の連結部３３から外れたり、扇風機本体１が床面から倒れたりしない程度の磁力に抑えるのが好ましい。
【００３３】
マグネット式の保持手段４６では、リモコン２の裏面を強磁性材料で形成し、円板部３５の表面にマグネットシートを設けてもよい。また、柔軟性を有するマグネットシートの代わりに、リモコン２の裏面や円板部３５の表面の一部を凹ませて、そこに硬質のマグネットを取付け固定してもよい。
【００３４】
代わりに保持手段４６は、爪やネジなどの嵌合構造を利用して、リモコン２を前ガード２８の円板部３５に着脱する構成としてもよい。爪嵌合では、リモコン２の裏面に嵌合部となる爪を設ける一方で、円板部３５に受部となる孔や凹みを設けた保持手段４６を構成する。これにより、嵌合部を受部につき合せた状態で、リモコン２を円板部３５側に押し込むだけで、嵌合部と受部との爪嵌合がなされて、リモコン操作部４１を表に向けた状態で、リモコン２を円板部３５へ確実に保持できる。また、嵌合部と受部との爪嵌合を解除すれば、そこから簡単にリモコン２を円板部３５から取り外すことができる。
【００３５】
ねじによる嵌合では、リモコン２の裏面側に嵌合部となる雄螺子部を形成する一方で、円板部３５に受部となる雌螺子部を形成した保持手段４６を構成する。これにより、嵌合部を受部につき合せた状態で、リモコン２を一方向に回すだけで、嵌合部と受部とのネジ嵌合がなされて、リモコン操作部４１を表に向けた状態で、リモコン２を円板部３５へ確実に保持できる。また、そこからリモコン２を逆方向に回せば、リモコン２を円板部３５から簡単に取り外すことができる。
【００３６】
爪嵌合やネジ嵌合による保持手段４６では、リモコン２の裏面に受部を設ける一方で、円板部３５に嵌合部を設ける構成としてもよい。また、各種の弾性部材による嵌合構造を、保持手段４６として利用してもよい。
【００３７】
図８は、扇風機の電気的構成を示したものである。同図において、扇風機本体１のベース１１内に配設された制御部４４は、その入力ポートにリモコン２からの赤外線信号を受ける受光部３１や、操作パネル１６を構成する操作部が電気的に接続される。また、制御部４４の出力ポートには、送風部１３の駆動源となるＤＣファンモータ２１や、操作パネル１６を構成する表示部や、首振り装置１４に組み込まれる首振り用モータ４５がそれぞれ接続される。
【００３８】
制御部４４は、マイコンによるソフトウェア上の機能として、主にＤＣファンモータ２１の動作を制御する送風制御部４７と、操作パネル１６の表示部の動作を制御する表示制御部４８と、首振り用モータ４５の動作を制御する首振り制御部４９と、をそれぞれ備えている。また制御部４４は、扇風機本体１の運転中はもとより、扇風機本体１の運転を停止した後も、送風部１３からの風量や、首振り装置１４による送風部１３の上下左右の首振り範囲などの設定状態を記憶保持するメモリとしての記憶部５１と、入タイマーや切タイマーなどのタイマー動作のための時間をカウントするカウンタとしての計時部５２と、を備えている。
【００３９】
そして本実施例では、操作パネル１７の操作部やリモコン２のリモコン操作部４１へのスイッチ操作に伴い、制御部４４が扇風機本体１の運転を開始させると、送風制御部４７は最初に記憶部５１に記憶保持された風量で、送風部１３からの送風が行われるように、ＤＣファンモータ２１に適切な駆動信号を供給するための制御信号を送出すると共に、首振り制御部４９も、最初に記憶部５１に記憶保持された首振り範囲で、送風部１３が左右および／または上下に揺動するように、首振り用モータ４５に適切な駆動信号を供給するための別な制御信号を送出する。
【００４０】
表示制御部４８は扇風機本体１の運転中に、送風部１３からの風量の設定状態などを操作パネル１７の表示部に表示させる。送風部１３からの風量は送風制御部４７により制御され、操作パネル１７やリモコン操作部４１に備えた例えば風量スイッチを操作するたびに、それまでよりも風量が強くなったり、或いは風量が弱くなったりする。また、別な例えばランダム風切換スイッチを操作するたびに、送風部１３からの風量が一定で変化しない連続風と、送風部１３からの風量が強弱して変化するランダム風の何れかに切換えることもできる。表示制御部４８は、現在の設定されている風量だけでなく、連続風またはランダム風のいずれで送風が行われているのかを、操作パネル１７の表示部に表示させる。
【００４１】
また本実施例では、扇風機本体１の運転中に、操作パネル１７やリモコン操作部４１に備えた例えば切タイマースイッチを押すたびに、運転を停止するまでの切タイマー時間が任意に設定され、または解除される。制御部４４は、切タイマースイッチからの操作信号を受けて切タイマー時間を設定すると、その設定された切タイマー時間を、表示制御部４８によりリモコン操作部４１の表示部に表示させ、計時部５２でカウントした時間が設定した切タイマー時間に達した時点で、ＤＣファンモータ２１や、表示部５１や、首振り用モータ４５の各動作を終わらせて、扇風機本体１の運転を自動的に停止させる。
【００４２】
一方、扇風機本体１の運転停止中や、切タイマー時間を設定した後に、操作パネル１７やリモコン操作部４１に備えた例えば入タイマースイッチを押すたびに、運転を開始するまでの入タイマー時間が任意に設定変更され、または解除される。制御部４４は、入タイマースイッチからの操作信号を受けて入タイマー時間を設定すると、その設定された入タイマー時間を、表示制御部４８によりリモコン操作部４１の表示部に表示させ、計時部５２でカウントした時間が設定した入タイマー時間に達した時点で、扇風機本体１の運転を自動的に開始させる。
【００４３】
その他、送風部１３の首振り運転の動作についても、操作パネル１７やリモコン操作部４１に備えた首振り動作に関するスイッチを操作すると、その操作信号を受けて首振り制御部４９が首振りモータ４５を制御し、例えば上下の首振り運転や左右の首振り運転の開始と停止をそれぞれ切換えたり、首振り運転中の首振り範囲を任意に設定変更したりすることができる。
【００４４】
また、リモコン２は保持手段４６により、何時でも簡単に送風部１３の前面中心に位置する円板部３５に取り付けたり、円板部３５から取り外したりすることができる。したがって、リモコン２を扇風機本体１の円板部３５から取り外した場合には、リモコン２からの赤外線信号が扇風機本体１の受光部４３に届く範囲内であれば、扇風機本体１から離れた場所で、リモコン２単体のリモコン操作部４１をスイッチ操作することで、送風部１３や首振り装置１４の動作を制御することができる。
【００４５】
一方、リモコン２を扇風機本体１の円板部３５に取り付けた場合には、リモコン操作部４１への操作が可能な状態で、リモコン２が円板部３５に保持される。したがって、扇風機本体１の近くで立っている人は、しゃがんだ姿勢を取らずに、そのままの姿勢で手の届く位置にリモコン操作部４１へのスイッチ操作を行なうことができ、リモコン２からの赤外線信号が扇風機本体１の受光部４３に達して、送風部１３や首振り装置１４の動作を制御することができる。
【００４６】
さらに本実施例では、リモコン２に設けたリモコン操作部４１の他に、扇風機本体１のベース１１にも、リモコン操作部４１と同等の機能を有する操作パネル１７の操作部を備えている。そのため、扇風機本体１の近くで、床Ｓに座ったりしゃがんだりした人が立ち上がることなく、そのままの姿勢で手の届く位置に操作パネル１７の操作部をスイッチ操作することで、送風部１３や首振り装置１４の動作を制御することができる。
【００４７】
以上のように本実施例の扇風機は、本体となる扇風機本体１と、扇風機本体１とは別に設けられ、リモコン操作部４１の操作に伴う無線信号を送出する遠隔操作体としてのリモコン２と、により構成され、扇風機本体１は、制御部４４からの制御信号により回転するファン２２を、ファンガード２３で囲んで構成され、リモコン２への操作により、その動作が制御部４４で制御される送風部１３と、送風部１３を床面Ｓより支持する支持基体１５と、を備えている。そして、ここでは特に、リモコン２をファンガード２３の前面部となる前ガード２８の円板部３５に、リモコン操作部４１からの操作が可能な状態で、リモコン２を着脱可能に保持する保持手段４６を設けている。
【００４８】
この場合、保持手段４６を利用することで、送風部１３を支持する支持基体１５にではなく、送風部１３を構成する前ガード２８に、リモコン操作部４１からの操作が可能な状態でリモコン２を装着できるので、人がしゃがんだ姿勢をわざわざ取らなくても、立ったままの姿勢でリモコン２の操作を行なうことが可能になる。
【実施例２】
【００４９】
図９は、本発明の第２実施例における扇風機において、リモコン２と送風部１３の要部を分解して示している。本実施例は第１実施例の扇風機に、発電部６１と、給電部６２と、表示部６３と、をそれぞれ付加して設けたものであり、それ以外の構成や作用効果は、第１実施例と共通する。
【００５０】
発電部６１は、ＤＣファンモータ２１により駆動するファン２２の回転力を電力に変換するもので、ファン２２の回転円周上に等間隔で複数個（ここでは８個）配設された磁石６５と、ファン２２と共に回転する磁石６５の近傍に配置された発電コイル６６と、により主に構成される。磁力の発生源となる（永久）磁石６５は、ファン２２をＤＣファンモータ２１の回転軸に取付け固定するためのスピナー６７の前面側に配置される。また発電コイル６６は、磁石６５との磁気結合を図るために、スピナー６７の前側面と向かい合う円板部３５の後面側に、回転する磁石６５と対向して非接触に配置される。これにより発電部６１では、ファン２２が磁石６５と共に回転するのに伴い、発電コイル６６近傍で磁力の変化が生じ、発電コイル６６の両端間にファン２２の回転数に応じた誘導起電力が発生する構成となっている。
【００５１】
給電部６２は、発電部６１で発生した誘導起電力を、円板部３５の前面側に装着したリモコン２に供給したり、ファンガード２３に設けた表示部６３に供給したりするもので、例えばリモコン２への給電用の端子となる電極６８や、表示部６３への配線となるリード線６９などで構成される。導電性の電極６８は円板部３５の前面部に配置され、前述の保持手段４６を利用して、リモコン２を円板部３５に装着して保持したときに、導電性の電極６８を介してリモコン２へ電力の供給が行われるようになっている。また図示しないが、リモコン２には二次電池が内蔵されており、発電部６１から供給された電力を二次電池に蓄えて、リモコン２単体での使用時においても、二次電池に蓄えた電力で赤外線信号を送信できるように構成される。変形例として、リモコン２を円板部３５に装着したときにのみ電極６８を露出させるような、可動式のシャッター機構をファンガード２３に設けてもよい。
【００５２】
表示部６３は、発電部６１からの電力供給を受ける青色ＬＥＤ７１と、青色ＬＥＤ７１からの光を導いて全体で発光する導光リング７２と、により構成される。発光素子となる青色ＬＥＤ７１は、円板部３５の下側に位置して、リング線状の導光リング７２の一端と他端にそれぞれ向かい合って配置される。発光素子が発する光の色は、本実施例のような青色以外であっても構わない。また導光リング７２は、円板部３５の前面部に装着されるリモコン２と干渉しないように、円板部３５の外周側面全体を取り囲むように配置される。
【００５３】
そして本実施例では、扇風機本体１の運転中に、ＤＣファンモータ２１への通電によりファン２２が回転すると、送風部１３に組み込まれた発電部６１では、ファン２２と共に複数の磁石６５が回転して、円板部３５の後面側に取り付け固定された発電コイル６６の近傍で磁力が変化し、発電コイル６６の両端間にファン２２の回転数に応じた誘導起電力が発生する。
【００５４】
このとき、保持手段４６によりリモコン２を円板部３５に装着しておけば、発電部６１からの誘導起電力が電極６８を介してリモコン２に供給され、リモコン２に内蔵する二次電池に蓄えられる。そのため、リモコン２を円板部３５から取り外した単体での使用時に、二次電池に蓄えた電力でリモコン２から赤外線信号を送信することができ、リモコン２の放電に起因する煩わしい電池交換などを省くことが可能となる。また、回転する磁石６５は円板部３５に常時覆われるため、人が発電部６１の存在を意識することがなく、扇風機本体１を運転させたときのファン２２の回転力を、リモコン２への電力の供給に有効利用することができる。
【００５５】
また、発電部６１からの誘導起電力はリモコン２だけではなく、給電部６２のリード線６９を介して、表示部６３の各青色ＬＥＤ７１にも供給され、青色ＬＥＤ７１から発した光が導光リング７２に導かれて、ファンガード２３の前面側で導光リング７２が青色に発光する。このとき発電部６１は、ファン２２の回転数に応じた誘導起電力を青色ＬＥＤ７１に供給するので、ファン２２の回転数が高く、送風部１３からの風量が多いほど、導光リング７２からの発光は明るくなり、ファン２２の回転数に合せて、導光リング７２の明るさがリアルタイムに変化する。したがって、扇風機本体１の周辺にいる人は、導光リング７２の明るさの程度から、現在の送風部１３の風量を目視で即座に確認することが可能となる。
【００５６】
表示部６３は、表示素子となる青色ＬＥＤ７１で構成することもできる。しかしその場合は、青色ＬＥＤ７１によるスポット状の表示となって、表示部６３の視認性が低下するので、本実施例のように青色ＬＥＤ７１からの光を導光体である導光リング７２に導いて、導光リング７２全体から線状の青色光を発光させるのが好ましい。また、表示部６３を構成する青色ＬＥＤ７１や導光リング７２は、送風部１３を支持する支持基体１５にではなく、送風部１３を構成するファンガード２３に設けられる。つまり、扇風機本体１の周辺にいる人は、立ったままの姿勢で現在の送風部１３の風量を、導光リング７２からの線状の発光表示により良好に視認でき、店頭展示などで表示による製品の差別化を図ることができる。
【００５７】
さらに本実施例では、導光リング７２をファンガード２３の前面中央部に位置する円板部３５の外周に設けることで、ファン２２の回転数に合せて明るさが変化する導光リング７２からのリング線状の表示を、送風部１３の前面中央部で行なわせることが可能になる。これにより、店頭展示などで製品の視覚効果を著しく高めることが可能になる。また、発電コイル６６と青色ＬＥＤ７１を何れも円板部３５に設けることで、発電部６１から表示部６３までの配線となるリード線６９を最短とすることができる。
【００５８】
以上のように、本実施例でもリモコン２をファンガード２３の前面部となる前ガード２８の円板部３５に、リモコン操作部４１からの操作が可能な状態で、リモコン２を着脱可能に保持する保持手段４６を設けている。そのため保持手段４６を利用して、送風部１３を構成する前ガード２８に、リモコン操作部４１からの操作が可能な状態でリモコン２を装着できるので、人がしゃがんだ姿勢をわざわざ取らなくても、立ったままの姿勢でリモコン２の操作を行なうことが可能になる。
【００５９】
加えて本実施例では、ファン２２の回転力を電力に変換する発電部６１をさらに備え、リモコン２をファンガード２３の前面部となる円板部３５に装着したときに、発電部６１から電極６８を介してリモコン２に電力供給が行なわれる構成となっている。
【００６０】
そのため、リモコン２をファンガード２３の円板部３５に装着させておけば、扇風機本体１を運転させたときのファン２２の回転力を利用して、リモコン２に外部の発電部６１から電力を供給することが可能となり、扇風機本体１とは別なリモコン２の煩わしい電池交換などを省くことができる。
【００６１】
本実施例では、回転するファン２２をファンガード２３で囲んで構成される送風部１３と、送風部１３を床面Ｓより支持する支持基体１５と、ファンガード２３に設けられる表示部６３と、ファン２２の回転力を電力に変換する発電部６１と、を扇風機本体１に備え、ファン２２の回転数に合せて変化する電力を、リード線６９を介して表示部６３に供給するように発電部６１を構成している。
【００６２】
この場合、ファン２２の回転数に見合う電力を発電部６１から表示部６３に供給することで、ファン２２の回転数に合せて表示部６３の明るさをリアルタイムに変化させることができ、現在の送風部１３の風量をその場で視認することが可能となる。また、送風部１３を支持する支持基体１５にではなく、送風部１３を構成するファンガード２３に表示部６３を設けることで、立ったままの姿勢で現在の風量を視認することができ、店頭展示などでも表示による製品の差別化を実現できる。
【００６３】
また、本実施例の表示部６３は、発電部６１からの電力を受ける発光素子としての青色ＬＥＤ７１と、青色ＬＥＤ７１の光を導いて発光する導光体としての導光リング７２と、により構成している。
【００６４】
そのため、青色ＬＥＤ７１のみによるスポット的な表示ではなく、青色ＬＥＤ７１からの光を導光リング７２に導いて、線状の発光を行なわせることで、視認性を向上させた扇風機を提供できる。
【００６５】
さらに本実施例では、ファン２２の前方に位置して、ファンガード２３の前面部に導光リング７２を配置している。
【００６６】
この場合、ファンガード２３の前面部に設けた導光リング７２によって、ファン２２の回転数に合せて変化するリング線状の表示を、送風部１３の前面で行なわせることが可能になる。これにより、店頭展示などで製品の視覚効果を著しく高めた扇風機を提供できる。
【実施例３】
【００６７】
図１０は、本発明の第３実施例における扇風機において、リモコン２と送風部１３の要部を分解して示している。また図１１は、本実施例における扇風機本体１の運転中の様子を示している。
【００６８】
これらの各図において、本実施例の表示部６３は、第２実施例と同様に青色ＬＥＤ７１と導光リング７２とにより構成されるものの、前ガード２８の円板部３５にではなく、前ガード２８の外周部をなすリブ部材３７に設けられる。またここでは、扇風機本体１に対するリモコン２の着脱構造が図示されていないが、第１実施例や第２実施例と同様に、保持手段４６を備えた扇風機としてもよい。それ以外の構成や作用効果は、第１実施例および第２実施例と共通する。
【００６９】
発光素子となる青色ＬＥＤ７１は、リブ部材３７の下側に位置して、リング線状の導光リング７２の一端と他端にそれぞれ向かい合って配置される。また導光リング７２は、リブ部材３７の前側全周に渡って配設される。発電コイル６６は前述のように、円板部３５の後面側配置されるので、発電コイル６６と青色ＬＥＤ７１との間を電気的に接続するリード線６９は、前ガード基材３６のワイヤーに沿って配置される。
【００７０】
そして本実施例でも、扇風機本体１の運転中に、ＤＣファンモータ２１への通電によりファン２２が回転すると、発電部６１からの誘導起電力が給電部６２のリード線６９を介して、表示部６３の各青色ＬＥＤ７１に供給される。これにより、青色ＬＥＤ７１から発した光が導光リング７２に導かれて、ファンガード２３の前面側で導光リング７２が青色に発光し、ファン２２の回転数に合せて、導光リング７２の明るさがリアルタイムに変化する。したがって、扇風機本体１の周辺にいる人は、導光リング７２の明るさの程度から、現在の送風部１３の風量を目視で即座に確認することが可能となる。
【００７１】
また本実施例では、表示部６３を構成する青色ＬＥＤ７１や導光リング７２が、送風部１３を構成するファンガード２３に設けられており、扇風機本体１の周辺にいる人は、立ったままの姿勢で現在の送風部１３の風量を、導光リング７２からの線状の発光表示により良好に視認できる。そのため、店頭展示などで表示による製品の差別化を図ることができる。
【００７２】
しかも本実施例では、導光リング７２をファンガード２３の前面外周部に位置するリブ部材３７に沿って設けることで、ファン２２の回転数に合せて明るさが変化する導光リング７２からのリング線状の表示を、送風部１３の前面外周部で行なわせることが可能になる。これにより、店頭展示などで製品の視覚効果を著しく高めることが可能になる。
【００７３】
以上のように、本実施例でも回転するファン２２をファンガード２３で囲んで構成される送風部１３と、送風部１３を床面Ｓより支持する支持基体１５と、ファンガード２３に設けられる表示部６３と、ファン２２の回転力を電力に変換する発電部６１と、を扇風機本体１に備え、ファン２２の回転数に合せて変化する電力を、リード線６９を介して表示部６３に供給するように発電部６１を構成している。
【００７４】
この場合、ファン２２の回転数に見合う電力を発電部６１から表示部６３に供給することで、ファン２２の回転数に合せて表示部６３の明るさをリアルタイムに変化させることができ、現在の送風部１３の風量をその場で視認することが可能となる。また、送風部１３を支持する支持基体１５にではなく、送風部１３を構成するファンガード２３に表示部６３を設けることで、立ったままの姿勢で現在の風量を視認することができ、店頭展示などでも表示による製品の差別化を実現できる。
【００７５】
また、本実施例の表示部６３は、発電部６１からの電力を受ける発光素子としての青色ＬＥＤ７１と、青色ＬＥＤ７１の光を導いて発光する導光体としての導光リング７２と、により構成している。
【００７６】
そのため、青色ＬＥＤ７１のみによるスポット的な表示ではなく、青色ＬＥＤ７１からの光を導光リング７２に導いて、線状の発光を行なわせることで、視認性を向上させた扇風機を提供できる。
【００７７】
さらに本実施例では、ファン２２の前方に位置して、ファンガード２３の前面部に導光リング７２を配置している。
【００７８】
この場合、ファンガード２３の前面部に設けた導光リング７２によって、ファン２２の回転数に合せて変化するリング線状の表示を、送風部１３の前面で行なわせることが可能になる。これにより、店頭展示などで製品の視覚効果を著しく高めた扇風機を提供できる。
【実施例４】
【００７９】
図１２は、本発明の第４実施例における扇風機において、リモコン２と送風部１３の要部を分解して示している。また図１３は、本実施例における扇風機本体１の運転中の様子を示している。
【００８０】
これらの各図において、本実施例の表示部６３は、発電部６１からリード線６９を介して電力供給を受ける白色ＬＥＤ７５と、円板部３５の表面を覆うように設けられ、白色ＬＥＤ７５からの光を導いて全体で発光する板状の導光モノグラム７６と、により構成される。またここでは、扇風機本体１に対するリモコン２の着脱構造が図示されていないが、第１実施例や第２実施例と同様に、保持手段４６を備えた扇風機としてもよい。それ以外の構成や作用効果は、第１実施例〜第３実施例と共通する。
【００８１】
発光素子となる一乃至複数の白色ＬＥＤ７５は、円板部３５の下側に位置して、導光モノグラム７６に向けて配置される。発光素子が発する光の色は、本実施例のような白色以外であっても構わない。導光体となる導光モノグラム７６は、イルミネーション効果を高めるために凹凸状の模様が施されており、導光モノグラム７６に導かれた光が、導光モノグラム７６の表面側全体から略均一に拡散発光する構成となっている。
【００８２】
そして本実施例でも、扇風機本体１の運転中に、ＤＣファンモータ２１への通電によりファン２２が回転すると、発電部６１からの誘導起電力が給電部６２のリード線６９を介して、表示部６３の白色ＬＥＤ７５に供給される。これにより、白色ＬＥＤ７５から発した光が導光モノグラム７６に導かれて、ファンガード２３の前面側で導光モノグラム７６全体が白色に発光し、ファン２２の回転数に合せて、導光モノグラム７６の明るさがリアルタイムに変化する。したがって、扇風機本体１の周辺にいる人は、導光モノグラム７６の明るさの程度から、現在の送風部１３の風量を目視で即座に確認することが可能となる。
【００８３】
またここでは、表示部６３を構成する白色ＬＥＤ７５や導光モノグラム７６が、送風部１３を構成するファンガード２３に設けられており、扇風機本体１の周辺にいる人は、立ったままの姿勢で現在の送風部１３の風量を、導光モノグラム７６全体からの面状の発光表示により良好に視認できる。そのため、本実施例でも店頭展示などで表示による製品の差別化を図ることができる。
【００８４】
しかも本実施例では、導光モノグラム７６をファンガード２３の前面中央部に位置する円板部３５に設けることで、ファン２２の回転数に合せて明るさが変化する導光モノグラム７６からの円形状の表示を、送風部１３の前面外周部で行なわせることが可能になる。これにより、店頭展示などで製品の視覚効果を著しく高めることが可能になる。
【００８５】
以上のように、本実施例でも回転するファン２２をファンガード２３で囲んで構成される送風部１３と、送風部１３を床面Ｓより支持する支持基体１５と、ファンガード２３に設けられる表示部６３と、ファン２２の回転力を電力に変換する発電部６１と、を扇風機本体１に備え、ファン２２の回転数に合せて変化する電力を、リード線６９を介して表示部６３に供給するように発電部６１を構成している。
【００８６】
この場合、ファン２２の回転数に見合う電力を発電部６１から表示部６３に供給することで、ファン２２の回転数に合せて表示部６３の明るさをリアルタイムに変化させることができ、現在の送風部１３の風量をその場で視認することが可能となる。また、送風部１３を支持する支持基体１５にではなく、送風部１３を構成するファンガード２３に表示部６３を設けることで、立ったままの姿勢で現在の風量を視認することができ、店頭展示などでも表示による製品の差別化を実現できる。
【００８７】
また、本実施例の表示部６３は、発電部６１からの電力を受ける発光素子としての白色ＬＥＤ７５と、白色ＬＥＤ７５の光を導いて発光する導光体としての導光モノグラム７６と、により構成している。
【００８８】
そのため、白色ＬＥＤ７５のみによるスポット的な表示ではなく、白色ＬＥＤ７５からの光を導光モノグラム７６に導いて、面状の発光を行なわせることで、視認性を向上させた扇風機を提供できる。
【００８９】
さらに本実施例では、ファン２２の回転中心前方に位置して、ファンガード２３の前面中央部に導光板となる導光モノグラム７６を配置している。
【００９０】
この場合、ファンガード２３の前面中央部に設けた導光モノグラム７６によって、ファン２２の回転数に合せて変化する面状の表示を、送風部１３のいわば基点となるファン２２の回転中心位置で行なわせることが可能になる。これにより、店頭展示などで視覚効果を著しく高めた扇風機を提供できる。
【００９１】
本発明は上記実施例に限定されるものではなく、本発明の趣旨を逸脱しない範囲で種々の変更可能である。例えば導光体の数や形状などは、本実施例で示した導光リング７２や導光モノグラム７６に限定されない。また、各実施例で説明した技術的な特徴を、適宜組み合わせた扇風機としてもよい。
【符号の説明】
【００９２】
１  扇風機本体
２  リモコン（遠隔操作体）
１３  送風部
１５  支持基体
２２  ファン
２３  ファンガード（ガード）
２８  前ガード（ファンガードの前面部）
４６  保持手段
６１  発電部
６３  表示部
７１  青色ＬＥＤ（発光素子）
７２  導光リング（導光体）
７５  白色ＬＥＤ（発光素子）
７６  導光モノグラム（導光体、導光板）
【図１】
2019085884.tif 000003
【図２】
2019085884.tif 000004
【図３】
2019085884.tif 000005
【図４】
2019085884.tif 000006
【図５】
2019085884.tif 000007
【図６】
2019085884.tif 000008
【図７】
2019085884.tif 000009
【図８】
2019085884.tif 000010
【図９】
2019085884.tif 000011
【図１０】
2019085884.tif 000012
【図１１】
2019085884.tif 000013
【図１２】
2019085884.tif 000014
【図１３】
2019085884.tif 000015